(57)【特許請求の範囲】
【請求項１】
記録媒体から読み取られた再生信号のブランクを検出する回路であって、
前記再生信号のエッジを検出すると共にエッジ間の間隔を検出するエッジ検出器と、
前記エッジの検出に応答して前記再生信号の振幅を検出し、検出された振幅の最大値または最小値を提供する最大値/最小値検出器と、
前記エッジ検出器で検出されたエッジ間の間隔と第１所定値との比較結果、および、該間隔と前記第１所定値より小さい第２所定値との比較結果および前記最大値/最小値検出器で検出された最大値または最小値に基づき、前記再生信号がブランクであるかどうかを判断する判断器とを含むことを特徴とするブランク検出回路。
【請求項２】
前記再生信号をデジタル信号に変換して、デジタル変換された信号を前記エッジ検出器及び最大値/最小値検出器に提供するアナログ−デジタル変換器と、
前記判断器の判断結果に応答してブランク信号を生成するブランク信号生成器とをさらに含むことを特徴とする請求項１に記載のブランク検出回路。
【請求項３】
前記判断器は、前記エッジ間の間隔、すなわち、エッジ間のクロックパルス数が第１所定値より大きい場合に前記再生信号をブランクとして判断し、ブランク信号を生成することを特徴とする請求項１に記載のブランク検出回路。
【請求項４】
前記記録媒体がコンパクトディスク（ＣＤ）の場合に第１所定値は、Ｔを単位クロックパルスとするとき、１６Ｔ〜６４Ｔから選択され、前記記録媒体がデジタル多機能ディスク（ＤＶＤ）の場合に第１所定値は１８Ｔ〜６４Ｔから選択されることを特徴とする請求項３に記載のブランク検出回路。
【請求項５】
前記判断器は、前記再生信号が正の場合、エッジ間の間隔が所定周期以上、すなわち、エッジ間のクロックパルス数が第２所定値以上であり、前記最大値/最小値検出器から提供される最大値が予め設定された第１臨界値より小さければ前記再生信号をブランクとして判断し、ブランク信号を生成することを特徴とする請求項１に記載のブランク検出回路。
【請求項６】
前記記録媒体がＣＤの場合に第２所定値は、Ｔを単位クロックパルスとするとき、６Ｔ〜１１Ｔから選択され、前記記録媒体がＤＶＤの場合に第２所定値は７Ｔ〜１４Ｔから選択されることを特徴とする請求項５に記載のブランク検出回路。
【請求項７】
前記判断器は、前記再生信号が負の場合、エッジ間の間隔が所定周期以上、すなわち、エッジ間のクロックパルス数が第２所定値以上であり、前記最大値/最小値検出器から提供される最小値が予め設定された第２臨界値より大きければ前記再生信号をブランクとして判断し、ブランク信号を生成することを特徴とする請求項１に記載のブランク検出回路。
【請求項８】
前記記録媒体がＣＤの場合に第２所定値は、Ｔを単位クロックパルスとするとき、６Ｔ〜１１Ｔから選択され、前記記録媒体がＤＶＤの場合に第２所定値は７Ｔ〜１４Ｔから選択されることを特徴とする請求項７に記載のブランク検出回路。
【請求項９】
記録媒体から読み取られた再生信号のブランクを検出する方法であって、
（ａ）前記再生信号のエッジを検出すると共にエッジ間の間隔を検出するステップと、
（ｂ）前記再生信号の振幅を検出し、検出された振幅の最大値または最小値を提供するステップと、
（ｃ）前記エッジ間の間隔と第１所定値との比較結果、または、該間隔と前記第１所定値より小さい第２所定値との比較結果および前記最大値または前記最小値が所定条件を満足するかどうかを判断して、所定条件を満足するとブランク信号を生成するステップとを含むことを特徴とするブランク検出方法。
【請求項１０】
前記再生信号は、位相制御ループによって同期されたクロック信号に応じてサンプリングされたデジタル信号であることを特徴とする請求項９に記載のブランク検出方法。
【請求項１１】
前記所定条件は、前記エッジ間の間隔、すなわち、エッジ間のクロックパルス数が第１所定値より大きい場合であることを特徴とする請求項９に記載のブランク検出方法。
【請求項１２】
前記記録媒体がＣＤの場合に第１所定値は、Ｔを単位クロックパルスとするとき、１６Ｔ〜６４Ｔから選択され、前記記録媒体がＤＶＤの場合に第１所定値は１８Ｔ〜６４Ｔから選択されることを特徴とする請求項１１に記載のブランク検出方法。
【請求項１３】
前記所定条件は、前記再生信号が正の場合、エッジ間の間隔が所定周期以上、すなわち、エッジ間のクロックパルス数が第２所定値以上であり、前記最大値が予め設定された第１臨界値より小さい場合であることを特徴とする請求項９に記載のブランク検出方法。
【請求項１４】
前記記録媒体がＣＤの場合に第２所定値は、Ｔを単位クロックパルスとするとき、６Ｔ〜１１Ｔから選択され、前記記録媒体がＤＶＤの場合に第２所定値は７Ｔ〜１４Ｔから選択されることを特徴とする請求項１３に記載のブランク検出方法。
【請求項１５】
前記所定条件は、前記再生信号が負の場合、エッジ間の間隔が所定周期以上、すなわち、エッジ間のクロックパルス数が第２所定値以上であり、前記最小値が予め設定された第２臨界値より大きい場合であることを特徴とする請求項９に記載のブランク検出方法。
【請求項１６】
前記記録媒体がＣＤの場合に第２所定値は、Ｔを単位クロックパルスとするとき、６Ｔ〜１１Ｔから選択され、前記記録媒体がＤＶＤの場合に第２所定値は７Ｔ〜１４Ｔから選択されることを特徴とする請求項１５に記載のブランク検出方法。
【発明の詳細な説明】
【０００１】
【発明の属する技術分野】
本発明は信号再生技術に係り、特に、光ディスクから読み取られた再生信号に対するブランク成分を検出する回路及びその方法に関する。
【０００２】
【従来の技術】
記録媒体の内、コンパクトディスク（以下、ＣＤ）やデジタル多機能ディスク（以下、ＤＶＤ）などの光ディスクにデータを記録及び/または再生する装置においては、ディスクの表面にレーザーダイオードなどの光源から放出されるビームを投射してこれから反射された光の強度を電気的信号に変換してディスクに記録されたデータを読み出す。このとき、電気的信号はＲＦ信号と呼ばれるが、このＲＦ信号を２値化した２進信号にデコーディングし、デコーディングされた２進信号は復調過程を経て必要な用途に使われる。
【０００３】
ところが、実際には、ディスクの表面にはいろいろな傷やホコリなどが付いており、このため、ＲＦ信号が記録マークの寸法に対応した所定振幅を有する一定の値に常時検出されるわけではない。また、再生を希望するデータが論理的には連続しているとはいえ、物理的にはディスクの多数のところに散在しているかもしれない。このとき、ピックアップが常にディスクの表面の内周から外周に向かって順次移動するのではなく、所定距離スキップする場合がある。スキップする瞬間に検出されたＲＦ信号は正常の再生信号のそれに比べてその振幅が小さい。
【０００４】
このように非正常のＲＦ信号が検出される場合、現在の信号が非正常であることを知らせる信号をブランク信号と呼ぶ。このブランク信号は、図面では示していないが、位相制御ループ（以下、ＰＬＬ）回路または２進データデコーダ（スライス回路とも言う）に供給されてＰＬＬをホールドさせたり、２進データの出力をしばらくの間停止させる。
【０００５】
従来のブランク検出回路は、図１に示されたように、アナログ構成を有する。第１ホールド回路１２は入力されるＲＦ信号の上限値を検出し、第２ホールド回路１４は入力されるＲＦ信号の下限値を検出する。入力されるＲＦ信号の上限値及び下限値が検出されると、第１比較器（１６、ＣＯＭＰ１と記してある）で上限値と第１臨界値（ＴＨ１）とが比較され、第２比較器（１８、ＣＯＭＰ２と記してある）で下限値と第２臨界値（ＴＨ２）とが比較される。ここで、第１比較器１６での比較の結果、上限値が第１臨界値（ＴＨ１）より小さいか、或いは、第２比較器１８での比較の結果、下限値が第２臨界値（ＴＨ２）より大きければ、論理回路２０でブランク信号が生成される。
【０００６】
従来には、図１に示されたように、入力信号の上限値を追跡する第１ホールド回路１２及び入力信号の下限値を追跡する第２ホールド回路１４がアナログローパスフィルタを使っていたため、入力信号に対する高速追跡ができなかった。たとえ、ローパスフィルタの臨界周波数を上げて高速に追跡したとしても、入力されるＲＦ信号に含まれている長周期の信号帯域を侵犯することになり、その結果ブランク信号が正常に検出できない問題があった。すなわち、ローパスフィルタの特性があまりにも敏感であれば、好ましくない位置でブランク信号が検出されてしまい、逆にあまり敏感でなければ、所望の位置でブランク信号が検出できなくなる。これにより、欠陥領域或いはスキップ動作のように正常の再生出力が検出されない位置でブランク信号が確度良く検出し難い問題があった。
【０００７】
【発明が解決しようとする課題】
本発明は上記事情に鑑みて成されたものであり、その目的は、ディスクなどの記録媒体から読み出されたＲＦ信号をデジタル信号に変換した後のブランク検出をデジタル回路にて具現するようにしたブランク検出回路を提供することである。
本発明の他の目的は、ディスクなどの記録媒体から読み出された信号のブランクを高速で且つ確度良く検出するブランク検出方法を提供することである。
【０００８】
【課題を解決するための手段】
前記目的を達成するため、本発明に係るブランク検出回路は、記録媒体から読み取られた再生信号のブランクを検出する回路であって、再生信号のエッジを検出すると共にエッジ間の間隔を検出するエッジ検出器と、エッジに応答して再生信号の振幅を検出し、検出された振幅の最大値または最小値を提供する最大値/最小値検出器と、エッジ検出器で検出されたエッジ間の間隔及び/または最大値/最小値検出器で検出された最大値または最小値に基づき、再生信号がブランクであるかどうかを判断する判断器とを含むことを特徴としている。
【０００９】
前記目的を達成するため、本発明に係るブランク検出方法は、記録媒体から読み取られた再生信号のブランクを検出する方法であって、再生信号のエッジを検出すると共にエッジ間の間隔を検出するステップと、再生信号の振幅を検出し、検出された振幅の最大値または最小値を提供するステップと、エッジ間の間隔、最大値及び/または最小値が所定条件を満足するかどうかを判断して、所定条件を満足するとブランク信号を生成するステップとを含むことを特徴としている。
【００１０】
【発明の実施の形態】
以下、添付した図面に基づき、本発明に係るブランク検出回路及びその方法の好適な実施形態について説明する。
図２は、本発明に係るブランク検出回路の一実施形態によるブロック図である。これを参照すると、本発明に係るブランク検出回路は、アナログ−デジタル変換器（以下、ＡＤＣ）１０２、エッジ検出器１０４、最大値/最小値検出器１０６、判断器１０８及びブランク信号生成器１１０で構成される。
【００１１】
前記ＡＤＣ １０２は、入力されるＲＦ信号をＰＬＬに同期されたクロック信号ＣＬＫに応じてサンプリングしてデジタル再生信号を提供する。エッジ検出器１０４は、前記ＡＤＣ １０２から提供されるデジタル再生信号の符号を検出して符号が変わる地点をエッジとして検出し、エッジ間のクロックパルス数（以下、"エッジ間の間隔"）をカウントする。すなわち、前記ＡＤＣ １０２の出力信号と基準レベル値とを比較して比較した結果の符号が正から負、または負から正に変わる地点をエッジとして検出し、次のエッジが検出されるまでクロックパルス数をカウントする。前記エッジ検出器１０４で検出されたエッジは、前記最大値/最小値検出器１０６をリセットするのに使用される。前記最大値/最小値検出器１０６は、前記エッジ検出器１０４で検出されたエッジに応答して、次のエッジが入力されるまで現在のデジタル再生信号の振幅に対する最大値または最小値を検出する。
【００１２】
前記判断器１０８は複数の比較器から構成できる。前記判断器１０８は、前記エッジ検出器１０４から提供されるエッジ間のクロックパルス数と第１所定値ｎ１とを比較してエッジ間のクロックパルス数が第１所定値より大きい場合、すなわち、一定の周期以上入力信号の符号が変わらない場合に、現在の信号をブランクとして判断する。エッジ間のクロックパルス数が第２所定値ｎ２以上の場合、前記判断器１０８は、前記最大値/最小値検出器１０８から提供される最大値と第１臨界値ＴＨ１とを比較し、また最小値と第２臨界値ＴＨ２とを比較して、現在の信号がブランクであるかどうかを判断する。前記ブランク信号生成器１１０は、論理回路にて具現でき、前記判断器１０８の判断結果がブランクであればブランク信号を生成する。また、このブランク信号生成器１１０は前記判断器１０８内に具現可能である。
【００１３】
ここで、ブランク判断の条件は概して下記の３つがある。
第一に、エッジ間のクロックパルス数が第１所定値ｎ１より大きければブランクとして判断する（この条件をｂｌａｎｋ１とする）。
第二に、デジタル再生信号が正の場合にはエッジ間のクロックパルス数が第２所定値ｎ２以上でなければならず、この時、最大値/最小値検出器１０６で検出された最大値が予め設定された第１臨界値ＴＨ１より小さければブランクとして判断する（この条件をｂｌａｎｋ２とする）。
そして第三に、デジタル再生信号が負の場合にはエッジ間のクロックパルス数が第２所定値ｎ２以上でなければならず、このとき、検出された最小値が予め設定された第２臨界値ＴＨ２より大きければブランクとして判断する（この条件をｂｌａｎｋ３とする）。
【００１４】
第１所定値ｎ１及び第２所定値ｎ２はディスクの種類、例えば、現在のディスクがＣＤかＤＶＤかに応じて下記表１のような値を有する。
【表１】
0003542542.tif 000002
【００１５】
以下、図２に示されたブランク検出回路の動作を図３と結び付けて説明する。ディスクの表面に記録された信号は２進データであるが、実際にディスクから反射された光に対する電気的信号は光学的伝達関数（Ｏｐｔｉｃａｌ  Ｔｒａｎｓｆｅｒ  Ｆｕｎｃｔｉｏｎ；ＯＴＦ）を有する。このため、統計的に周期が短い信号に対しては振幅が小さく、統計的に周期が長い信号に対しては振幅が大きい。したがって、光ディスクがＣＤの場合、信号の周期が単位クロックＴを目安に３Ｔ〜１１Ｔまで存在する。６Ｔ（ＣＤにおけるｎ２値）以上の信号は最大の振幅にスイングする。
【００１６】
図３は、入力されるＲＦ信号をＡＤＣ（図２における１０２）によってアナログ−デジタル変換した例を示している。これから明らかなように、入力信号の周期が短い場合には振幅が小さく、一定周期以上の信号は最大値がほとんど一定である。従って、入力信号のエッジを検出して一定周期以上の信号（エッジ間のクロックパルス数がｎ２より大きい場合のみ）を抽出した後、抽出された信号に対して最大値または最小値を求める。次に、このように求められた値を予め設定された臨界値と比較してブランクを検出する。
【００１７】
さらに、入力信号は統計的にＣＤの場合には１１Ｔ以上、ＤＶＤの場合には１４Ｔ以上の信号は出てこないように設計されている。理由が何であれ、長時間信号が検出されない場合はいずれもブランク信号として見なされるため、エッジ間のクロックパルス数が一定値以上を超えると、現在の信号はブランク信号として処理される。この一定値は、表１においてｎ１で表現された値である。
【００１８】
図４は、本発明に係るブランク検出方法の一実施形態によるフローチャートである。これを参照すると、先ず、入力されるＲＦ信号をデジタル信号に変換する（ステップＳ１０１）。次に、デジタル再生信号のエッジを検出してエッジ間のクロックパルス数をカウントする（ステップＳ１０２）。次に、デジタル再生信号の振幅に対する最大値または最小値を検出する（ステップＳ１０３）。
【００１９】
前記ステップＳ１０２で得られたエッジ間のクロックパルス数が第１所定値ｎ１以上であれば、第１条件（ｂｌａｎｋ１）に相当するブランクとして判断する。そうでなければ、ステップＳ１０２で得られたエッジ間のクロックパルス数と第２所定値ｎ２とを比較して、入力信号が一定周期（例えば、ＣＤの場合にはｎ２＝６Ｔ〜１１Ｔ、ＤＶＤの場合にはｎ２＝７Ｔ〜１４Ｔ）以上であり、且つステップＳ１０３で検出された最大値が第１臨界値ＴＨ１より小さければ第２条件（ｂｌａｎｋ２）に相当するブランクとして判断する。そうでなければ、ステップＳ１０２で得られたエッジ間のクロックパルス数と第２所定値ｎ２とを比較して入力信号が一定周期以上であり、且つステップＳ１０３で検出された最小値が第２臨界値ＴＨ２より大きければ、第３条件（ｂｌａｎｋ３）に相当するブランクとして判断する（ステップＳ１０４）。
【００２０】
ステップＳ１０４で判断された結果が、第１条件（ｂｌａｎｋ１）または第２条件（ｂｌａｎｋ２）または第３条件（ｂｌａｎｋ３）の内いずれか１つでも満足すると、ブランク信号を生成する（ステップＳ１０５）。
【００２１】
図示はしないが、ディスクから読み取られた再生信号が最後のデータであるまで上記ステップを繰り返す。
【００２２】
これにより、本発明に係るブランク検出回路は、アナログローパスフィルタを使わずに入力信号がブランク信号であるかどうかが検出できるので、既存のアナログ構成のブランク検出回路で問題となっていたブランク信号の遅延やローパスフィルタの周波数帯域に関わらずに使用することができる。
【００２３】
【発明の効果】
以上述べたように、本発明に係るブランク検出回路は、ディスクから読み取られた再生信号のブランク成分がすぐ検出できることから、入力される異常信号を効率良く処理することができる長所がある。
さらに、本発明は的確な時点でブランク信号を発生させるので、ブランク信号を受け取って処理を行うＰＬＬ回路または２進データデコーダでこれを使用する場合、システム全体の信頼性が向上される効果がある。
【図面の簡単な説明】
【図１】従来のブランク検出回路の回路図である。
【図２】本発明に係るブランク検出回路の一実施形態によるブロック図である。
【図３】図２に示されたＡＤＣによりＲＦ信号がＡ/Ｄ変換された結果を示すグラフである。
【図４】本発明に係るブランク検出方法の一実施形態によるフローチャートである。
【符号の説明】
１０２  ＡＤＣ（アナログ−デジタル変換器）
１０４  エッジ検出器
１０６  最大値/最小値検出器
１０８  判断器
１１０  ブランク信号生成器
【図１】
0003542542.tif 000003
【図２】
0003542542.tif 000004
【図３】
0003542542.tif 000005
【図４】
0003542542.tif 000006